(57)【特許請求の範囲】
【請求項１】
進行方向後側の下面を接地面とした機体上に、その進行方向前側から順に、連結片で連結された連続鉢苗を載置する鉢苗載置部と、該鉢苗載置部から引き出した鉢苗を一列に整列して案内する鉢苗案内部と、該鉢苗案内部から畑面に鉢苗を連続に繰り出す鉢苗繰り出し部とを連接し、前記機体には前記畑面に植え付け溝を形成するオープナーを設け、さらに前記機体の先端部にハンドルを設けた接地型の連続鉢苗移植機において、前記機体を前記鉢苗載置部と前記鉢苗案内部との間で前後に二分割し、その二分割したそれぞれの機体の接点に連結部を設け、その連結部を中心に進行方向前側の機体が鉛直方向に回動可能としたことを特徴とする簡易移植機。
【請求項２】
鉢苗載置部と鉢苗案内部の連結部に角度可変手段を設けたことを特徴とする請求項１記載の簡易移植機。
【請求項３】
角度可変手段にピンと切り欠きを設け、切り欠きの内面にピンが摺接するように取り付けられたことを特徴とする請求項２に記載の簡易移植機。
【請求項４】
進行方向後側の下面を接地面とした機体上に、その進行方向前側から順に、連結片で連結された連続鉢苗を載置する鉢苗載置部と、該鉢苗載置部から引き出した鉢苗を一列に整列して案内する鉢苗案内部と、該鉢苗案内部から畑面に鉢苗を連続に繰り出す鉢苗繰り出し部とを連接し、前記機体には前記畑面に植え付け溝を形成するオープナーを設け、さらに前記機体の先端部にハンドルを設けた接地型の連続鉢苗移植機において、前記機体を前記鉢苗載置部と前記鉢苗案内部との間で前後に二分割し、その二分割したそれぞれの機体の接点に連結部を設け、その連結部を中心に進行方向前側の機体を圃場上方向に折り曲げた状態で鉢苗を植え付けることを特徴とする植物苗の移植方法。
【発明の詳細な説明】
【０００１】
【発明が属する技術分野】
本発明は、連結片で連結された連続鉢苗を一端から連続して引き出して順次植え付ける移植機に係り、連続鉢苗を１個１個分離することなく連続状態のまま植え付ける接地型の鉢苗移植機に関する。
【０００２】
【従来の技術】
育苗後一端から連続して列状に引き出せる連続型の集合鉢苗が特公昭５５−３０８０５号公報で開示されている。また、該鉢苗をその連結状態を維持したまま植え付ける移植機であって、少なくとも進行方向後側の下面を接地面とした板状の機体の上面に、その進行方向前側から順に、前記連続鉢苗を載置する鉢苗載置部と、該鉢苗載置部から引き出した鉢苗を一列に整列して案内する鉢苗案内部と、該鉢苗案内部から畑面に鉢苗を連続に繰り出す鉢苗繰り出し部とを設け、前記機体の接地面には、前記畑面に植え付け溝を形成するオープナーを取り付け、さらに前記機体の先端部にハンドルを設けた連続鉢苗移植機において、前記機体を前記鉢苗載置部と前記鉢苗案内部との間で二分割して、その前側部分と後側部分とを、前側部分が後側部分より低位になるように連結手段により段違いに連結し、さらに前記後側部分に、前記鉢苗載置部の上面と前記鉢苗案内部の上面とを接続する連接板の一端を回動自在に取り付けたことを特徴とする移植機が特許第３０２５８５８号公報で開示されている。
【０００３】
従来の移植機（特許第３０２５８５８号）は、育苗した鉢苗を移植する際には、鉢苗載置部と鉢苗案内部の連結部がボルト等で固定されている。また、移植機の進行方向前方に人間か又はトラクター等が配座し、本移植機を牽引しながら、鉢苗は後端に位置する鉢苗繰り出し部より連続に繰り出され田畑に移植される。鉢苗の移植効率を保つため、鉢体案内部及び鉢苗繰り出し部の地面に対する傾斜角度を一定の角度に保つ必要があるため、移植機自体はかなりの機長に保持しなければならなかった。このため、ビニールハウス等で鉢苗を移植する際、圃場端部では図４に示す１４’の牽引ハンドルから１８’の鉢苗繰り出し位置までの長さの分だけ未移植部が存在する。
【０００４】
【発明が解決しようとする課題】
特許第３０２５８５８号公報に開示された移植機の改良に関わるもので、従来の移植機では、ビニールハウス等の圃場端部において野菜苗等の未移植部が多くなり、その補植に多くの手間を要していた。このため、圃場端部における野菜苗等の移植範囲の拡大が可能となる接地型の簡易移植機を提供することを課題とした。また、本発明は付加的な課題として、移植精度の改良を兼ね備えた簡易移植機を提供することにある。
【０００５】
【課題を解決するための手段】
本発明は上記課題を解決するためになされたものであり、本発明者は鋭意検討した結果、上記の圃場端部における未移植部の減少を目的とした簡易移植機を提供する。すなわち、進行方向後側の下面を接地面とした機体上に、その進行方向前側から順に、連結片で連結された連続鉢苗を載置する鉢苗載置部と、該鉢苗載置部から引き出した鉢苗を一列に整列して案内する鉢苗案内部と、該鉢苗案内部から畑面に鉢苗を連続に繰り出す鉢苗繰り出し部とを連接し、前記機体には畑面に植え付け溝を形成するオープナーを設け、さらに前記機体の先端部にハンドルを設けた接地型の連続鉢苗移植機において、前記機体を前記鉢苗載置部と前記鉢苗案内部との間で前後に二分割し、その二分割したそれぞれの機体の接点に連結部を設け、その連結部を中心に進行方向前側の機体が鉛直方向に回動可能としたことを特徴とする簡易移植機を提供する。また、その簡易移植機を使用し、進行方向前側の機体を上方向へ折り曲げた状態で植物苗を移植する方法を提供する。さらに、本発明は鉢苗載置部フレームと鉢苗案内部フレームの連結部に角度可変手段を設けたことを特徴とする簡易移植機を提供する。これらにより、簡易移植機は前記連結部で折れ曲げ構造となっているため、移植末端の圃場の際近くにくると機体前側を上方向に折り曲げながら進行方向へ移動させて鉢苗を植え付けることが可能となり、鉢苗の未移植部を減少することができる。
【０００９】
さらに、本簡易移植機は、折り畳みが可能になったため、運搬、輸送及び収納作業を簡単に行うことが可能になる。
【００１０】
本発明の付加的なものとして、鉢苗載置部と鉢苗案内部の連結部に付設された角度可変手段にピンと切り欠きを設け、切り欠きの内面にピンが摺接するように取り付けられたことを特徴とする簡易移植機を提供する。すなわち、切り欠き部にあそび（ピンの直径よりも切り欠きの直径を大きくする）を設け、切り欠き内面を前記ピンが摺接する構造とし、鉢苗載置部と鉢苗案内部の連結部を支点に、進行方向前側の機体を揺動可能とした。本簡易移植機においては、移植精度を維持するために先述したように移植角度を保持する必要がある。すなわち、機体の鉢苗繰り出しは圃場地面に対して一定の角度の状態を保たれなければならない。特許第３０２５８５８号公報に開示された移植機では、移植時に機体の鉢苗載置部と鉢苗案内部が固定化され、機体全体が一体化されているため、圃場に石や土の塊がある場合、移植作業に直接影響を受けて植え付け精度が悪くなる。このため、角度可変手段にピンと切り欠きを設けることにより、車輪が圃場の凹凸等によって上下動しても、前記切り欠きのあそびの範囲で、前記連結部を支点に進行方向前側の機体が揺動するため、鉢苗繰り出しは圃場地面に対して一定の角度を保持できる。このため、従来の移植機より鉢苗の移植精度が向上する。
【００１１】
【発明の実施の形態】
以下、本発明の実施の形態を図面に基づいて説明するが、これらに限定されるものではない。
【００１２】
図１、３は、本発明に係る連続鉢苗移植機であり、移植機本体１は、進行方向Ｆの後側の下面を接地面１９とした機体２０上に、その進行方向Ｆの前側から順に、連結片で連結された連続鉢苗を載置する鉢苗載置部ａと、この鉢苗載置部ａから引き出した鉢苗を一列に整列して案内する鉢苗案内部ｂと、この鉢苗案内部ｂから畑面に鉢苗を連続に繰り出す鉢苗繰り出し部ｃとを連接している。また、前記機体２０の接地面１９に、前記畑面に植え付け溝（図示略）を形成するオープナー１１を設けるとともに、前記機体２０の進行方向Ｆの先端部に牽引ハンドル１４を設けている。
【００１３】
前記機体２０は、鉢苗載置部ａと鉢苗案内部ｂとの間で前後に二分割し、その二分割した機体前側２０Ａ、機体後側２０Ｂのそれぞれの接点に連結部ｄを設け、この連結部ｄを中心に、進行方向Ｆの前側機体２０Ａが鉛直方向に回動可能に連結されている。鉢苗載置部ａと鉢苗案内部ｂとの連結部ｄは、図１、５、６に示されるように、前側機体２０Ａを構成する鉢苗載置部フレーム１２の後端に固定された左右一対の取付板１２Ａと、後側機体２０Ｂを構成する鉢苗案内部フレーム１３と一体化された左右一対の取付板１３Ａを接合するねじ締付手段７（支点）とからなっており、このねじ締付手段７が前記連結部ｄにおける回動の支点として作用する。
【００１４】
次に、図１の連結部ｄの折り曲げの角度可変手段ｅの可動状況を例示する。該角度可変手段ｅは図１、６に示されるように、ハンドルフレーム１５に付設されたレバー２、このレバー２からのびたワイヤーケーブル３、鉢苗載置部フレーム１２及び取付板１２Ａにピン２１を用いて回動自在に取り付けられたロック固定解除金具５、鉢苗案内部フレーム１３の先端の取付板１３Ａに周設された切り欠き２２、ロック固定解除金具５に貫設されたピン２３、そして、取付板１２Ａの側面に突接したばね受１２Ｂと、ロック固定解除金具５の側面に突接したばね受５Ｂとの間に架設した付勢手段（引張ばね）２４などからなっている。なお、ロック固定解除金具に貫接した前記ピン２３には、引張ばね２４により常時連結部ｄの中心（支点７）方向への付勢力が加えられている。これにより、取付板１３Ａに周設された切り欠き２２がピン２３の真上に達すると、ピン２３が切り欠き２２に嵌入し、機体前側２０Ａと機体後側２０Ｂは固定（ロック状態）となる。
【００１５】
レバー２を手で握ることにより、図７に示されるようにワイヤーケーブル３を介して矢印Ｐ方向に張力が作用し、支点２１を中心にロック固定解除金具５が回動し、ピン２３が切り欠き２２から切り離され、固定解除（アンロック）状態となる。この状態でハンドル１４を引き上げると、機体前側２０Ａが接合部ｄの支点７を中心に上方向に回動（図８、矢印Ｒ方向）する。
【００１６】
角度可変手段ｅは、定常の移植時においてはロック（固定）された状態になっている。すなわち、ピン２３が切り欠き２２に嵌入し、鉢苗載置部ａと鉢苗案内部ｂ及び繰り出し部ｃはロックされる。この切り欠き２２は、円周端に少なくとも２個以上設けられており、ピン２３の嵌入により任意の曲げ角度でそれぞれロックされる。その角度は少なくとも２段以上に変えられるように設けられている。しかも、本機体は、支点７を中心に２つ折りの状態にできるため、移植作業の開始、終了時における移植機の組立、分解作業が不要となり、収納、運搬、持ち運び等に便利となる。
【００１７】
ピン２３の切り欠き２２への嵌入又は切り離しは、前述したようにレバー２を手で握ると、ロック固定解除金具５が支点２１を中心に回動し、ピン２３が切り欠き２２から切り離される。すなわち、ピン２３が切り欠き２２から離れたアンロック状態で、鉢苗載置部ａと鉢苗案内部ｂとを折り曲げることができる。この時、機体前側２０Ａが接合部ｄの支点７を軸に図８に示すＲ方向に回動可能となる。一方、レバー２から手を離すと引張ばね２４の付勢力により任意の切り欠き２２にピン２３が嵌入しロックされる。圃場の端部における鉢苗の移植は、アンロック状態で機体前側２０Ａを圃場より上方向へ上げたまま移植作業を行い、圃場の末端で鉢苗載置部ａが最終的に大略垂直になるようにする。この時、ピン２２が切り欠き２３に嵌入し、ロック状態となる。
【００１８】
また、図９に示すように、切り欠き２２にあそびを設けることにより、ピン２３が切り欠き２２の内面を摺接し、連結部の支点７を中心に機体前後が揺動可能となり、このあそびの範囲で植付部分が圃場地面の凹凸の緩衝として働くため、鉢苗繰り出し部ｃが圃場地面に対して一定の角度を保持するよう工夫されている。すなわち、図９の（イ）が定常移植状態における切り欠き２２とピン２３の位置であり、図９の（ロ）は、圃場に石や土の塊等があり、車輪４及び鉢苗載置部ａが上方に浮き上がった場合のピン２３の位置を示す。さらに、図９の（ハ）は圃場地面の凹面で車輪４が窪みに沈んだ状態のピン２３の位置を示す。図９（ロ）、（ハ）に示す角度ｒ度の分だけ機体前側の車輪４が上下動しても植え付け精度は確保される。
【００１９】
本発明の移植機による移植作業は図１０に示す通り行われる。移植機本体１がＦ方向に引かれると鉢苗載置部ａに載っている集合連続鉢苗３３から連続した鉢苗３４が一列に引き出され、その後鉢苗案内部ｂを通過し、鉢苗繰り出し部ｃから自ら形成した圃場の植え付け溝に連続鉢苗３４が移植される。本鉢苗の移植において、鉢苗繰り出し部ｃと圃場地面３０との角度は２０〜３０度程度が適当であるため、この角度が保持されれば適正に鉢苗が植え付けられる。
【００２０】
次に、圃場端部３１における移植作業状態を図１１（イ）、（ロ）に示す。ビニールハウス等の圃場端部３１に近づいたらレバー２を操作し、牽引ハンドル１４により機体前側２０Ａを上方向へ持ち上げながら植え付け、圃場端部３１では鉢苗載置部ａが圃場地面に対して大略垂直になる状態で植え付けを終える。このようにすることにより、未移植部を少なくすることができる。
【００２１】
本発明の移植機を図１および３に、従来の移植機を図２および４に示すが、これらを比較すると、本発明移植機は、鉢苗案内部ａの長さが短縮され、結果的に本体１の長さ（全機長）が大幅に短縮される。なお、図２および４において、本発明移植機と同一部分については、同一符号にダッシュを付して示している。
【００２２】
また、上記角度可変手段ｅを用いないで、圃場端部の鉢苗移植部分の拡大を目的として、ハンドルを進行方向後側に回動可能とした移植機を提供する。この場合の模式図を図１２、１３に示す。ハンドル１４及び車輪４は、図示されるように鉢苗載置部フレーム１２に付設にされた左右一対の受けフレーム２６に別々に取り付けられている。ハンドル１４は、そのハンドル１４の下方に貫設するピン（支点）２８、そのピン２８を中心とした弧状の長穴２７、その長穴２７と前記ハンドル１４とを係止するノブボルト２９Ａ、ノブナット２９Ｂからなっており、ハンドル１４は、ピン２８を支点に長穴２７の範囲で回動可能に取り付けられている。すなわち、前記長穴２７に貫設されたノブボルト２９Ａに、ノブナット２９Ｂを締め込むことにより、図示した角度Ｓの範囲内の任意の位置で前記ハンドル１４を固定することができる。図１４に示されるように、通常の鉢苗の植え付け作業時には、ハンドル１４は機体の進行方向に対して最も前方に倒されているが、圃場端部等においては該ハンドル１４を最も後方に倒した状態（ハンドルが大略圃場に対して垂直状態）で鉢苗を植え付けることにより、図示したＬの長さ分だけ連続鉢苗を多く植え付けできるようになり、未移植部を少なくすることができる。
【００２３】
【発明の効果】
本発明の簡易移植機は、特許第３０２５８５８号公報に開示された移植機の改良に関わるもので、鉢苗案内部フレーム１３と鉢苗載置部フレーム１２との間で機体を二分割し、その連結部ｄの支点７を中心に機体前側２０Ａを回動可能とした移植機を提供する。このため、移植機本体１を折り曲げて移植作業を行うことが可能となり、従来の移植機より圃場端部の移植範囲が拡大し、未移植部が減少するため、補植作業を軽減することができた。さらに、鉢苗載置部フレームａと鉢苗案内部フレームｂの接合部ｄに角度可変手段ｅを設け、その手段ｅの切り欠き２２にあそびを設けることにより、鉢苗繰り出しが圃場地面に対して一定の角度を保持できるため、鉢苗の植え付け精度が向上した。
【図面の簡単な説明】
【図１】本発明移植機の全体の構造を示す側面図である。
【図２】特許第３０２５８５８号公報に開示される移植機の側面図である。
【図３】本発明移植機の全体の構造を示す平面図である。
【図４】特許第３０２５８５８号公報に開示される移植機の平面図である。
【図５】連結部の構造を示す断面の模式図である。
【図６】連結部及び角度可変手段の構造を示す側面の模式図である。
【図７】連結部の角度可変手段の可動状況を示す側面の模式図である。
【図８】連結部の角度可変手段の可動状況を示す側面の模式図である。
【図９】連結部の角度可変手段のピンと切り欠きの摺接状態を拡大して示す模式図である。
【図１０】本発明移植機による連続鉢苗の移植状態を示す模式図である。
【図１１】本発明移植機による圃場端部における移植状態を示す模式図である。
【図１２】ハンドル回動部の要部の構成を示す平面図である。
【図１３】ハンドル回動部の要部と使用形態を示す側面図である。
【図１４】圃場端部におけるハンドル位置と植え付け可能範囲を示す模式図である。
【符号の説明】
１    移植機本体
２    レバー
３    ワイヤーケーブル
４    車輪
５    ロック固定解除金具
５Ｂ  ばね受け
６    連接板
７    ねじ締付手段（支点）
８    取っ手
９    チゼル
１０  鎮圧輪
１１  オープナー
１２  鉢苗載置部フレーム
１２Ａ  鉢苗載置部フレーム取付板
１２Ｂ  ばね受け
１３  鉢苗案内部フレーム
１３Ａ  鉢苗案内部フレーム取付板
１４  ハンドル
１５  ハンドルフレーム
１６  案内板
１７  ガイド板
１８  鉢苗繰り出しの位置
１９  接地面
２０  機体
２０Ａ  機体前側
２０Ｂ  機体後側
２１  ロック固定解除金具ピン（支点）
２２  切り欠き
２３  ピン
２４  スプリング
２５  長円穴
２６  ハンドルの受けフレーム
２７  ハンドルの長穴
２８  ハンドルのピン（支点）
２９Ａ  ハンドルのノブボルト
２９Ｂ  ハンドルのノブナット
３０  圃場地面
３１  圃場端部
３３  集合連続鉢苗
３４  連続鉢苗
ａ  鉢苗載置部
ｂ  鉢苗案内部
ｃ  鉢苗繰り出し部
ｄ  鉢苗載置部と鉢苗案内部との連結部
ｅ  角度可変手段
【図１】
0003646263.tif 000002
【図２】
0003646263.tif 000003
【図３】
0003646263.tif 000004
【図４】
0003646263.tif 000005
【図５】
0003646263.tif 000006
【図６】
0003646263.tif 000007
【図７】
0003646263.tif 000008
【図８】
0003646263.tif 000009
【図９】
0003646263.tif 000010
【図１０】
0003646263.tif 000011
【図１１】
0003646263.tif 000012
【図１２】
0003646263.tif 000013
【図１３】
0003646263.tif 000014
【図１４】
0003646263.tif 000015